(57)【要約】【課題】メンテナンス作業が容易に行なえる作業機の照明装置を提供する。【解決手段】ポストの上端部に上部旋回体を設置する。上部旋回体の踊り場９またはポストに設ける踊り場に開口部２３を設ける。照明器具取付け体２４は開口部２３に回動可能に取付ける。この照明器具取付け体２４は開口部２３を閉塞可能なサイズを有する。この照明器具取付け体２４を開口部２３を閉塞した状態から、上方に回動することにより、照明器具１７を踊り場９上に露出させることができる。【選択図】図３
2014181527.tif 000002
【特許請求の範囲】
【請求項１】
支持体に旋回装置を介して運転室、パワーユニットおよび踊り場を有する上部旋回体を設置し、前記上部旋回体の旋回フレームに作業用フロントを取付け、前記踊り場または前記支持体に設けた踊り場に照明器具を取付けた作業機の照明装置において、
前記照明器具を、通常作業時の照明位置とメンテナンス容易な位置との間で移動可能に取付けたことを特徴とする作業機の照明装置。
【請求項２】
請求項１に記載の作業機の照明装置において、
前記照明器具を取付けた照明器具取付け体を、前記上部旋回体に設けた踊り場または前記支持体に設けた踊り場に上下方向に回動可能に取付け、
通常作業時には前記照明器具が前記踊り場の下側に位置し、メンテナンス作業時には前記照明器具取付け体を上方に回動させて前記照明器具を前記踊り場上に露出させる構成にしたことを特徴とする作業機の照明装置。
【請求項３】
請求項２に記載の作業機の照明装置において、
作業機の前記上部旋回体に設けた踊り場、または前記支持体に設けた踊り場に開口部を備え、
前記照明器具取付け体は、前記開口部を閉塞可能な広さを有すると共に、前記開口部の一端側を中心として回動可能に取付けられ、
通常作業時には前記照明器具取付け体が前記開口部を閉塞する構成にしたことを特徴とする作業機の照明装置。
【請求項４】
請求項２に記載の作業機の照明装置において、
作業機の前記上部旋回体に設けた踊り場、または前記支持体に設けた踊り場に備えた開口部と、
前記開口部を閉塞可能に前記踊り場の上面側を回動範囲として前記踊り場に回動可能に取付けられた第１のカバーと、
前記第１のカバーの枢着側に一端が前記第１のカバーに対して角度をなして固定されると共に、前記踊り場の下側を回動範囲として前記踊り場に回動可能に取付けられ、前記開口部を閉塞可能なサイズを有する第２のカバーとを備え、
前記第１のカバーまたは前記第２のカバーのいずれか一方を照明器具取付け体とし、
通常作業時には前記第１のカバーが前記開口部を閉塞すると共に、前記第２のカバーが前記踊り場の下方に向いた状態にあり、メンテナンス作業時には前記第１のカバーおよび前記第２のカバーを上方に回動させて前記照明器具を前記踊り場上に露出させると共に、前記第２のカバーにより前記開口部を閉塞する構成にしたことを特徴とする作業機の照明装置。
【請求項５】
請求項３に記載の作業機の照明装置において、
前記開口部を設けた踊り場の下面に、前記開口部を閉塞するように取付けられると共に、前記照明器具取付け体により前記開口部が閉塞された状態において前記照明器具を囲む構造を有するフードをさらに備えたことを特徴とする作業機の照明装置。
【発明の詳細な説明】
【技術分野】
【０００１】
本発明は、作業場を照明するために作業機に備えられる照明装置に係り、特にポスト上に旋回装置を介して上部旋回体が設置された構成のハイポスト式作業機に適用する場合に好適なものに関する。
【背景技術】
【０００２】
例えばスクラップの集積場で使用されるスクラップ処理機等の作業機は、スクラップの分別、搬出における作業視界を確保するため、ポストと称される鉄塔の上に運転室を含む上部旋回体を設置して運転室の地面からの高さを高くし、その上部旋回体に多関節構造等の作業用フロントを取付けて構成される（例えば特許文献１参照）。このような作業機はハイポスト式作業機と称され、夜間における作業を可能にするため、上部旋回体の前部等に作業場に向けて照射する照明器具を備える。
【先行技術文献】
【特許文献】
【０００３】
【特許文献１】特開２００６−１３１３１８号公報
【発明の概要】
【発明が解決しようとする課題】
【０００４】
このようなハイポスト式作業機における照明器具はメンテナンス作業を行なう必要がある。このメンテナンス作業には、ランプの交換や、ランプの照明方向調整、あるいは照明器具をブラケットに取付けるボルトの締付け等の作業が含まれる。しかしながら、スクラップ処理機を用いる作業場は広いことから、水銀灯等の大型の照明器具を用いることが多く、その上、効率よく作業場を照らすため、従来より、上部旋回体のできるだけ外側や踊り場の下側等に照明器具を取付けている。このため、メンテナンス作業を行なう際に作業者の手がランプ等に届きにくく、メンテナンス作業が容易ではないという問題点があった。
【０００５】
本発明は、上記問題点に鑑み、ランプ交換等のメンテナンス作業が容易に行なえる作業機の照明装置を提供することを目的とする。
【課題を解決するための手段】
【０００６】
請求項１の作業機の照明装置は、
支持体に旋回装置を介して運転室、パワーユニットおよび踊り場を有する上部旋回体を設置し、前記上部旋回体の旋回フレームに作業用フロントを取付け、前記踊り場または前記支持体に設けた踊り場に照明器具を取付けた作業機の照明装置において、
前記照明器具を、通常作業時の照明位置とメンテナンス容易な位置との間で移動可能に取付けたことを特徴とする。
【０００７】
請求項２の作業機の照明装置は、請求項１に記載の作業機の照明装置において、
前記照明器具を取付けた照明器具取付け体を、前記上部旋回体に設けた踊り場または前記支持体に設けた踊り場に上下方向に回動可能に取付け、
通常作業時には前記照明器具が前記踊り場の下側に位置し、メンテナンス作業時には前記照明器具取付け体を上方に回動させて前記照明器具を前記踊り場上に露出させる構成にしたことを特徴とする。
【０００８】
請求項３の作業機の照明装置は、請求項２に記載の作業機の照明装置において、
作業機の前記上部旋回体に設けた踊り場、または前記支持体に設けた踊り場に開口部を備え、
前記照明器具取付け体は、前記開口部を閉塞可能な広さを有すると共に、前記開口部の一端側を中心として回動可能に取付けられ、
通常作業時には前記照明器具取付け体が前記開口部を閉塞する構成にしたことを特徴とする。
【０００９】
請求項４の作業機の照明装置は、請求項２に記載の作業機の照明装置において、
作業機の前記上部旋回体に設けた踊り場、または前記支持体に設けた踊り場に備えた開口部と、
前記開口部を閉塞可能に前記踊り場の上面側を回動範囲として前記踊り場に回動可能に取付けられた第１のカバーと、
前記第１のカバーの枢着側に一端が前記第１のカバーに対して角度をなして固定されると共に、前記踊り場の下側を回動範囲として前記踊り場に回動可能に取付けられ、前記開口部を閉塞可能なサイズを有する第２のカバーとを備え、
前記第１のカバーまたは前記第２のカバーのいずれか一方を照明器具取付け体とし、
通常作業時には前記第１のカバーが前記開口部を閉塞すると共に、前記第２のカバーが前記踊り場の下方に向いた状態にあり、メンテナンス作業時には前記第１のカバーおよび前記第２のカバーを上方に回動させて前記照明器具を前記踊り場上に露出させると共に、前記第２のカバーにより前記開口部を閉塞する構成にしたことを特徴とする。
【００１０】
請求項５の作業機の照明装置は、請求項３に記載の作業機の照明装置において、
前記開口部を設けた踊り場の下面に、前記開口部を閉塞するように取付けられると共に、前記照明器具取付け体により前記開口部が閉塞された状態において前記照明器具を囲む構造を有するフードをさらに備えたことを特徴とする。
【発明の効果】
【００１１】
請求項１の発明によれば、照明器具のメンテナンスの際には、照明器具をメンテナンスが行なえる位置に移動させることにより、作業者は踊り場から身を乗り出すことなく作業を行なうことができ、電球交換等のメンテナンス作業を容易に行なうことが可能となる。
【００１２】
また、メンテナンス作業時には照明器具を作業が容易な場所に移動させることが可能となるので、メンテナンス作業を考慮して照明器具の取付け位置を制限する必要が無くなる。このため、通常作業時には照明器具による作業場所の照射を好ましい形態で行なうことが可能となる。
【００１３】
請求項２の発明によれば、照明器具のメンテナンス作業の際には、照明器具取付け体を上方に回動させて照明器具を踊り場上に露出させることができるので、作業者は踊り場上でメンテナンス作業を行なうことができ、メンテナンス作業がより容易に行なえる。
【００１４】
請求項３の発明によれば、通常作業時には、踊り場に設けた開口部は照明器具取付け体によって閉塞されるので、通常作業時は照明器具取付け体は踊り場の一部として利用できると共に、通常作業時の安全性が確保される。
【００１５】
請求項４の発明によれば、通常作業時には、踊り場に設けた開口部は第１のカバーによって閉塞されるので、通常作業時は照明器具取付け体は踊り場の一部として利用できると共に、通常作業時の安全性が確保される。また、メンテナンス作業の際には、踊り場に設けた開口部は第２のカバーによって閉塞されるので、安全性が確保される。
【００１６】
請求項５の発明によれば、通常作業時には、踊り場に設けた開口部は照明器具取付け体によって閉塞されるので、通常作業時は照明器具取付け体は踊り場の一部として利用できると共に、通常作業時の安全性が確保される。また、メンテナンス作業時には開口部は踊り場の下面に設けたフードによって閉塞されるので、安全性が確保される。
【図面の簡単な説明】
【００１７】
【図１】（Ａ）は本発明の第1の実施の形態の照明装置を適用した作業機の一例を作業用フロントを省略して示す正面図、（Ｂ）はその側面図である。
【図２】（Ａ）は第１の実施の形態の照明装置の側面図、（Ｂ）はその底面図である。
【図３】本発明による照明装置の第２の実施の形態をメンテナンス作業時の姿勢を示す斜視図である。
【図４】（Ａ）は図３の照明装置の側面図、（Ｂ）はその平面図である。
【図５】（Ａ）は図４（Ａ）のＥ−Ｅ断面図、（Ｂ）は通常作業時の姿勢を示す側面図である。
【図６】本発明による照明装置の第３の実施の形態をメンテナンス作業時の姿勢で示す斜視図である。
【図７】（Ａ）は図６の照明装置の側面図、（Ｂ）はその平面図である。
【図８】（Ａ）は図６の照明装置の正面図、（Ｂ）はその底面図である。
【図９】（Ａ）は第３の実施の形態の照明装置を通常作業時の姿勢で示す側面断面図、（Ｂ）はその正面図である。
【発明を実施するための形態】
【００１８】
図１（Ａ）、（Ｂ）はそれぞれ本発明による照明装置の第１の実施の形態を備えた作業機の一例を、作業用フロントを省略して示す正面図、側面図である。図１（Ａ）、（Ｂ）において、１は例えばスクラップ集積所に立設されたポスト（鉄塔）、２はこのポスト１の中間部に設けた踊り場、３は地面とこの踊り場２との間でオペレータや作業員が昇降するための梯子である。４はこのポスト1の頂部に旋回装置５を介して設置した旋回フレームである。
【００１９】
この旋回フレーム４には運転室６、パワーユニット７、カウンタウエイト８および踊り場９等を搭載して上部旋回体１０を構成する。踊り場９は、運転室６やパワーユニット７等にオペレータや作業員が行き来するために、旋回フレーム４の左右に設けられる。１１はポスト１の中間部の踊り場２と上部旋回体１０の踊り場９との間でオペレータや作業員が昇降するための梯子である。ポスト１の中間部に設けた踊り場２は、保守点検のため、作業員がこの踊り場２に立った際に、旋回フレーム４の下面に設けられるアンダーカバーを取外して上部旋回体１０の下面部から上部旋回体１０に備えた機器の保守点検や修理を行なうことが可能となる高さに設定されている。
【００２０】
図１（Ａ）において、１２は旋回フレーム４の中央前部に設けた作業用フロント取付け部である。なお、不図示の作業用フロントは、例えば旋回フレーム４に起伏可能に取付けるブームと、このブームの先端に回動可能に取付けられるアームと、このアームの先端に取付けられる作業具等とからなるもので、スクラップ処理機の場合、作業具としてはスクラップを把持するホークや、鉄屑を吸着するリフティングマグネット等が用いられる。
【００２１】
１３は旋回フレーム４の前部の左右に取付けた照明装置である。図２（Ａ）はこの第1の実施の形態の照明装置１３を拡大して示す側面図、図２（Ｂ）はその底面図である。図２（Ａ）、（Ｂ）に示すように、照明装置１３は、上部旋回体１０に備える踊り場９の下面に取付けられるガイド枠１４と、このガイド枠１４に前後方向に移動可能に取付けられるスライド枠１５と、このスライド枠１５にブラケット１６を介して取付けられる照明器具１７とを備える。
【００２２】
ガイド枠１４は踊り場９の下面にボルト等の固定具１８によって上部旋回体１０の前後方向に向けて取付けられる。スライド枠１５はガイド枠１４の左右に設けたガイド部１４ａ，１４ａに左右の端部を図２（Ａ）の矢印Ｘに示す前後方向に摺動可能に係合させて取付けられる。スライド枠１５に取付けられるブラケット１６は二又構造をなし、ブラケット１６は軸２１を中心に左右の向きが調整できるように取付けられる。また、照明器具１７はこのブラケット１６に軸１９を中心に矢印Ｒで示すように上下方向の向きが調整できるように取付けられる。２０は照明装置１３の使用時にガイド枠１４にスライド枠１５を固定するボルト等でなる固定具である。
【００２３】
この構成において、作業機により作業を行なっている際には、照明器具１７は図１（Ｂ）に示すように、踊り場９の前端部に位置する。この位置は図２（Ａ）の実線ａで示す位置である。この位置において、固定ボルト２０によりスライド枠１５をガイド枠１４に締結することにより、照明器具１７はこの前方位置に固定される。この位置は照明を行なう上では好適であるが、踊り場２におけるメンテナンス作業がし難い位置である。
【００２４】
ランプの交換等のメンテナンス作業の際には、作業員はポスト１の中間部に設けた踊り場２に上り、固定具２０を緩め、スライド枠１５に設けた手掛け部１５ａに手を掛けて後方にスライドさせ、図２（Ａ）に２点鎖線で示す位置ｂに移動させる。このように、照明器具１７を後方に移動させた状態であれば、作業員は踊り場２から前方に身を乗り出すことなく、照明器具１７のランプの交換等の保守点検、修理を行なうことができ、これらの作業が容易に行なえる。
【００２５】
図２の実施の形態においては、照明器具１７の前後位置を変更する手段としてスライド構造を採用したが、単関節構造あるいは多関節構造または平行リンク機構等のリンク機構で照明器具１７を支持し、リンクを回動させることにより照明器具１７の前後位置を変更する構成としてもよい。
【００２６】
図３は本発明による照明装置の第２の実施の形態をメンテナンス作業時の姿勢で示す側面図である。また、図４（Ａ）は図３の側面図、図４（Ｂ）はその平面図、図５（Ａ）は図４（Ａ）のＥ−Ｅ断面図である。図５（Ｂ）は通常作業時の姿勢を示す側面図である。
【００２７】
図３〜図５に示すように、第２の実施の形態においても、上部旋回体１０の踊り場９に照明装置１３Ａが取付けられる。この実施の形態においては、踊り場９に開口部２３を設け、この開口部２３に照明装置１３Ａを取付ける。この照明装置１３Ａは、第１のカバー２４と第２のカバー２６とを備える。第１のカバー２４は板状をなし、開口部２３を閉塞可能なサイズを有する。第１のカバー２４には、照明器具１７が、ブラケット１６を介して軸１９を中心として傾斜角度調整可能に取付けられる。すち、この図示例では、この第１のカバー２４を照明器具１７の取付け体として用いている。この第１のカバー２４は、開口部２３の後縁に設けるヒンジ２５によって踊り場９の上側を回動範囲として、踊り場９に回動可能に取付けられる。
【００２８】
第２のカバー２６は、この例ではメンテナンス作業時における落下防止プレートとして機能するものである。この第２のカバー２６は、その一端を第１のカバー２４のヒンジ２５による枢着側に溶接等により固定して取付ける。この第２のカバー２６は、この照明器具取付け体と角度（この例ではほぼ直角）をなし、踊り場９の下側を回動範囲とする。この第２のカバー２６は、開口部２３を閉塞可能なサイズを有する。２７はカバー２４，２６の開閉の際の衝撃を緩和するためのダンパーであり、このダンパーには流体式またはバネ式のものが用いられる。このダンパー２７は、一端を第１のカバー２４に設けたブラケット２８にピン２９により連結し、他端を踊り場９の開口部の側縁に設けたブラケット３０にピン３１により連結して取付けられる。
【００２９】
図４（Ｂ）に示すように、メンテナンス作業時に第１のカバー２４を起立姿勢に保つため、第２のカバー２６の上面にはピン３２を中心として回動可能にストッパ３３が取付けられている。３４はこのストッパ３３を第２のカバー２６の上面に固定しておくためのストッパホルダである。このストッパホルダ３４は弾性体でなり、第２のカバー２６にねじ等の固定具３５により固定されている。ストッパ３３がストッパホルダ３４に保持された状態においては、ストッパ３３は第２のカバー２６の周囲から外側に突出せず、第２のカバー２６は開口部２３の縁に干渉されずに回動可能である。
【００３０】
この照明装置１３Ａは、図５（Ｂ）に示すように、通常作業時には第１のカバー２４が開口部２３を閉塞すると共に、第２のカバー２６が踊り場９の下方に向いた状態にある。この時、第１のカバー２４の反枢着側端部は、踊り場９の下面の開口部２３の縁に固定した支持板３６により支持される。そして照明器具１７は作業用フロント（図示せず）に取付けられた作業具による前方の作業場を照射する。この時、ストッパ３３は、ストッパホルダ３４により固定され、第２のカバー２６の周囲から外側に突出しない状態にある。
【００３１】
一方、メンテナンス作業時には第１のカバー２４に設けた把手３７を持って第１のカバー２４を上方に引き上げ、図３、図４（Ａ）、（Ｂ）、図５（Ａ）に示すように、第１のカバー２４を上方に回動させて起立させる。これにより、照明器具１７を踊り場９上に露出させると共に、第２のカバー２６により開口部２３を閉塞する。このように第２のカバー２６によって開口部２３を閉塞した状態において、図４（Ｂ）に示すように、ストッパ３３を２点鎖線ｃに示すようなストッパホルダ３４に固定された状態から、実線ｄで示すように突出位置である位置へと回動させることにより、ストッパ３３を踊り場９の開口部２３の縁に係止させて第２のカバー２６や第１のカバー２４が下がる方向に動くことを防止する。
【００３２】
この第２の実施の形態によれば、照明装置１３Ａのメンテナンス作業の際には、第１のカバー２４を上方に回動させて開くことにより、照明器具１７を踊り場９上に露出させることができるので、作業者は踊り場９上でメンテナンス作業を容易に行なうことができる。
【００３３】
また、通常作業時には、踊り場９に設けた開口部２３は照明器具取付け体である第１のカバー２４によって閉塞されるので、通常作業時は第１のカバー２４は踊り場９の一部として利用できると共に、通常作業時の安全性が確保される。
【００３４】
また、メンテナンス作業の際に、踊り場９に設けた開口部２３は第２のカバー２６によって閉塞され、第２のカバー２６はストッパ３３により閉塞状態を保つので、作業者は開口部２３から落下したり、工具を開口部２３から落下させるおそれがなく、メンテナンス作業を安全に行なうことができる。
【００３５】
なお、この第２の実施の形態において、照明器具１７は第１のカバー２４に取付けるのではなく、第２のカバー２６に取付けてもよい。第２のカバー２６に照明器具１７を取付ける場合には、メンテナンス作業時における第２のカバー２６の上面側に照明器具１７を取付けることにより、メンテナンス作業時に照明器具１７を踊り場９上に露出させることができる。
【００３６】
図６は本発明による照明装置の第３の実施の形態をメンテナンス作業時の姿勢で示す斜視図であり、図７（Ａ）、（Ｂ）はそれぞれ同姿勢における側面図および平面図、図８（Ａ），（Ｂ）はそれぞれ同姿勢における正面図および底面図である。また図９（Ａ）、（Ｂ）はそれぞれこの実施の形態における通常作業時の姿勢を示す側面図および正面図である。
【００３７】
この第３の実施の形態においては、前記第２の実施の形態における第２のカバー２６の代わりに照明装置１３Ｂのフード４１を落下防止手段とし用いる。このフード４１は周囲に取付け板部４１ａを一体に有し、この取付け板部４１ａを開口部２３の下面に当ててねじやボルト４２とナット４３等の固定具４２により固定して取付けたものである。また、照明器具取付け体として用いる第１のカバー２４、は第２の実施の形態と同様に、開口部２３の後縁にヒンジ２５を介して上方に回動させることにより、照明器具１７を踊り場９上に露出させることができる。また、第１のカバー２４は、通常作業時においては、開口部２３の内周から内側に突出した取付け板部４１ａによって支持される。
【００３８】
この第３の実施の形態においても、照明装置１３Ｂのメンテナンス作業の際には、照明器具取付け体としての第１のカバー２４を上方に回動させて開くことにより、照明器具１７を踊り場９上に露出させることができるので、作業者は踊り場９上でメンテナンス作業を容易に行なうことができる。また、開口部２３は常時踊り場９の下面に設けたフード４１によって閉塞されるので、このメンテナンス作業の際に、作業者は開口部２３から落下するおそれがなく、また工具を落下させるおそれがないので、メンテナンス作業を安全に行なうことができる。
【００３９】
なお、第２、３の実施の形態においては、踊り場９そのものにカバー２４，２６等を直接取付ける構成としたが、踊り場９に取付け板を介してカバー２４，２６等を間接的に取付ける構成としてもよい。また、第２、３の実施の形態においては、照明装置１３Ａ，１３Ｂを上部旋回体１０の踊り場９を設けた例について示したが、これらの照明装置１３Ａ、１３Ｂはポスト１に設ける踊り場２に設けてもよい。
【００４０】
また、本発明は、据え付け式の作業機ではなく、自走式あるいは他力により走行する走行体上にポスト（支持体）を設けてそのポスト上に上部旋回体を設置した作業機にも適用することができる。また、本発明を適用する作業機としては、スクラップ作業以外に作業具の機能に応じた各種の作業を行なう作業機が対象となる。その他、本発明は、上記実施の形態に限らず、本発明の要旨を逸脱しない範囲において、種々の変更、付加が可能である。
【符号の説明】
【００４１】
１：ポスト、２：踊り場、4：旋回フレーム、５：旋回装置、６：運転室、７：パワーユニット、８：カウンタウエイト、９：踊り場、１０：上部旋回体、１２：作業用フロント取付け部、１３，１３Ａ，１３Ｂ：照明装置、１４：ガイド枠、１５：スライド枠、１７：照明器具、２０：固定具、２３：開口部、２４：第１のカバー（照明器具取付け体）、２５：ヒンジ、２６：第２のカバー、２７：ダンパー、３３：ストッパ、３４：ストッパホルダ、３６：支持板、４１：フード
【図１】
2014181527.tif 000003
【図２】
2014181527.tif 000004
【図３】
2014181527.tif 000005
【図４】
2014181527.tif 000006
【図５】
2014181527.tif 000007
【図６】
2014181527.tif 000008
【図７】
2014181527.tif 000009
【図８】
2014181527.tif 000010
【図９】
2014181527.tif 000011